(57)【要約】【課題】  化粧部品等の突出部を設けても引戸の開閉に支障が無いようにしつつも、全閉時に気密性を保つことである。【解決手段】  部屋Ｒと外Ｏを区切る引戸の気密構造であって、方立３４と引戸１０の方立側基本戸面１０Ｓとの隙間Δは、突出する化粧部品１０Ｋの突出寸法δより幅広に設定し、戸先側縦枠３０に設けられる縦方向気密部材５０Ｃと、上枠と下枠３８とに設けられる左右方向気密部材５０Ｂとは、全閉状態において方立側基本戸面に当接し、方立側縦方向気密部材５０Ｄは、前記方立側基本戸面から離隔して位置し、引戸の方立側基本戸面の戸尻側部位には、方立側に突出し、上下方向に延伸した突条部１０Ｔを設け、全閉状態にした際に、前記突条部が方立側縦方向気密部材と当接するよう構成する。【選択図】        図１
2006207128.tif 000002
【特許請求の範囲】
【請求項１】
部屋と外を区切り、左右方向に移動させる引戸の気密構造であって、
方立と前記引戸の方立側基本戸面との隙間は、該方立側基本戸面よりも方立側に突出する化粧部品等の突出部がある場合、この突出寸法より幅広にし、また、前記化粧部品等の突出部が無い場合、指挟みが発生する寸法よりも幅広に設定し、
戸先側縦枠に設けられる縦方向気密部材と、上枠と下枠とに設けられる左右方向気密部材とは、引戸の全閉状態において方立側基本戸面に当接し、
前記方立に設けられる方立側縦方向気密部材は、前記方立側基本戸面から離隔して位置しており、
前記引戸の方立側基本戸面の戸尻側部位には、方立側に突出し、上下方向に延伸した突条部を設け、引戸を全閉状態にした際に、前記突条部が前記方立側縦方向気密部材と当接する
ことを特徴とする引戸の気密構造。
【請求項２】
前記突条部は、引戸を全閉状態にした際に、前記上枠と下枠の各方立側端部に直接又は他部材を介して間接に当接する請求項１記載の引戸の気密構造。
【請求項３】
前記突条部の上部、下部の戸先に向かった側に弾力性部材を設け、該各弾力性部材が上枠と下枠の各方立側端部に当接してなる請求項２記載の引戸の気密構造。
【請求項４】
部屋と外を区切り、左右方向に移動させる引戸の気密構造であって、
方立と前記引戸の方立側基本戸面との隙間は、該方立側基本戸面よりも方立側に突出する化粧部品等の突出部がある場合、この突出寸法より大きくし、また、前記化粧部品等の突出部が無い場合、指挟みが発生する寸法よりも幅広に設定し、
戸先側縦枠に設けられる縦方向気密部材と、上枠と下枠とに設けられる左右方向気密部材とは、引戸の全閉状態において方立側基本戸面に当接し、
引戸の戸尻側に戸尻側縦方向気密部材が設けられ、該戸尻側縦方向気密部材は前記方立側に向かっており、該引戸を全閉状態にした際に前記方立と当接する
ことを特徴とする引戸の気密構造。
【請求項５】
前記引戸の方立側基本戸面の戸尻側部位には、前記方立側に突出し、上下方向に延伸した突条部を設け、該突条部に前記戸尻側縦方向気密部材を設け、
該突条部は、前記引戸を全閉状態にした際に、前記上枠と下枠の各方立側端部に直接又は他部材を介して間接に当接する請求項４記載の引戸の気密構造。
【請求項６】
前記突条部の上部、下部の戸先に向かった側に弾力性部材を設け、該各弾力性部材が上枠と下枠の各方立側端部に当接してなる請求項５記載の引戸の気密構造。
【請求項７】
前記戸尻側縦方向気密部材は、前記引戸を全閉状態にした際に、前記上枠と下枠の各方立側端部にも当接している請求項４記載の引戸の気密構造。
【発明の詳細な説明】
【技術分野】
【０００１】
本発明は、引戸の気密構造に関する。
【背景技術】
【０００２】
左右の縦枠と上枠と下枠（沓摺）とに囲まれた出入口構造において、中央に方立を有する片引戸式の出入口の場合、引戸を開けるためには、引戸の方立側の戸面が方立の前を通過する必要がある。こうした片引戸の例が下記特許文献１に開示されている。片引戸を全閉した場合に、部屋と戸外（外部）との気密性を向上させるべく、左右の一側の縦枠と方立と上枠と下枠とに亘り、細長いゴム部材等の弾力性部材からなる気密部材を設けておき、この気密部材を全閉引戸の方立側戸面に当接させて気密を保持している。
【特許文献１】特開２００１−１３２３３５
【発明の開示】
【発明が解決しようとする課題】
【０００３】
然しながら、引戸の戸面には各種装飾を施したい場合があり、その装飾では、戸面を元の戸面、即ち、基本戸面から部分的に突出させた形態としたり、別部材の装飾部材を装着させて基本戸面から突出した形態にしたりする。こうした突出部を有する場合でも、引戸は方立の前を通過する必要があるため、必然的に、方立前端位置は引戸に突出部の無い場合よりも方立側に引っ込む結果となる。その結果、全閉された引戸の戸尻側に位置する方立側基本戸面と、方立に設けた縦方向気密部材とが離れてしまう。
【０００４】
もっとも、気密部材は弾力性部材故、その寸法形態を前方（戸面側）に大きく突出した形態とすれば、引戸を開放する場合も弾性変形しつつ引戸の通過を可能にさせ、全閉時には引戸の方立側戸面に当接できるとも考えられる。しかし、このように大きく突出した弾力性部材では、引戸の上端部近くから下端部近くにまで亘った長い寸法の当接状態を維持し、気密を保持することは困難である上、見栄えも良くない。また、建築当初は引戸に突出状の化粧部品を設けていなくても、例えば、リフォーム時に設けたい場合が生じ得る。こうした場合に、引戸の基本戸面と方立との隙間が実質無ければ、化粧部品の装着する工事のみならず、出入口構造の枠体をも交換しなければならず、実際には化粧部品が設けられない。更には、引戸を開閉する場合に、戸先側に在る取っ手を持って操作する場合は問題無いが、戸尻側に手を添えて開閉操作しようとする場合も有り得る。こうした場合に、添えた手の指が、引戸と方立との間に挟まれて思わぬ怪我をすることも考えられる。
【０００５】
従って解決しようとする課題は、化粧部品等の突出部を設ける場合は引戸の開閉に支障が無いように、また、こうした突出部を設けていない場合では、引戸と方立との間に指が挟まれて怪我をすることが防止できるように構成していることを前提にしつつも、引戸の全閉時に気密性を保つことのできる引戸の気密構造を提供することである。
【課題を解決するための手段】
【０００６】
請求項１に係る発明では、部屋と外を区切り、左右方向に移動させる引戸の気密構造であって、方立と前記引戸の方立側基本戸面との隙間は、該方立側基本戸面よりも方立側に突出する化粧部品等の突出部がある場合、この突出寸法より幅広にし、また、前記化粧部品等の突出部が無い場合、指挟みが発生する寸法よりも幅広に設定し、戸先側縦枠に設けられる縦方向気密部材と、上枠と下枠とに設けられる左右方向気密部材とは、引戸の全閉状態において方立側基本戸面に当接し、前記方立に設けられる方立側縦方向気密部材は、前記方立側基本戸面から離隔して位置しており、前記引戸の方立側基本戸面の戸尻側部位には、方立側に突出し、上下方向に延伸した突条部を設け、引戸を全閉状態にした際に、前記突条部が前記方立側縦方向気密部材と当接することを特徴とする引戸の気密構造を提供する。
指挟みが発生する寸法よりも幅広とは、引戸と方立との間に手の指が挟まれない寸法であって、具体的には指の中で最大厚さを有する親指の厚さより幅広にすることである。
【０００７】
請求項２では、前記突条部は、引戸を全閉状態にした際に、前記上枠と下枠の各方立側端部に直接又は他部材を介して間接に当接する請求項１記載の引戸の気密構造を提供する。
【０００８】
請求項３では、前記突条部の上部、下部の戸先に向かった側に弾力性部材を設け、該各弾力性部材が上枠と下枠の各方立側端部に当接してなる請求項２記載の引戸の気密構造を提供する。
【０００９】
請求項４では、部屋と外を区切り、左右方向に移動させる引戸の気密構造であって、方立と前記引戸の方立側基本戸面との隙間は、該方立側基本戸面よりも方立側に突出する化粧部品等の突出部がある場合、この突出寸法より大きくし、また、前記化粧部品等の突出部が無い場合、指挟みが発生する寸法よりも幅広に設定し、戸先側縦枠に設けられる縦方向気密部材と、上枠と下枠とに設けられる左右方向気密部材とは、引戸の全閉状態において方立側基本戸面に当接し、引戸の戸尻側に戸尻側縦方向気密部材が設けられ、該戸尻側縦方向気密部材は前記方立側に向かっており、該引戸を全閉状態にした際に前記方立と当接することを特徴とする引戸の気密構造を提供する。
【００１０】
請求項５では、前記引戸の方立側基本戸面の戸尻側部位には、前記方立側に突出し、上下方向に延伸した突条部を設け、該突条部に前記戸尻側縦方向気密部材を設け、該突条部は、前記引戸を全閉状態にした際に、前記上枠と下枠の各方立側端部に直接又は他部材を介して間接に当接する請求項４記載の引戸の気密構造を提供する。
【００１１】
請求項６では、前記突条部の上部、下部の戸先に向かった側に弾力性部材を設け、該各弾力性部材が上枠と下枠の各方立側端部に当接してなる請求項５記載の引戸の気密構造を提供する。
請求項７では、前記戸尻側縦方向気密部材は、前記引戸を全閉状態にした際に、前記上枠と下枠の各方立側端部にも当接している請求項４記載の引戸の気密構造を提供する。
【発明の効果】
【００１２】
請求項１では、方立と引戸の方立側基本戸面との隙間は、装飾等の突出部がある場合は、該突出部の突出寸法より幅広にしているため、この装飾等を施した引戸であっても使用可能となる。また、そうした突出部が無い場合、指挟みが発生する寸法よりも幅広であるため、不注意によって指が挟まれることが防止される。更には、こうした隙間を有しているので、方立側縦方向気密部材は前記方立側基本戸面と離隔しているが、引戸の方立側基本戸面の戸尻側部位に、方立側に突出し、上下方向に延伸した突条部を設けて、引戸を全閉状態にした際に、この突条部が方立側縦方向気密部材と当接するように設定しているため、戸先側縦枠に設けられた縦方向気密部材と、上枠と下枠とに設けられている左右方向気密部材とが全閉状態の引戸に当接することと併せると、装飾等の突出部を施せなかった従来の引戸に比べ、同等の気密状態が維持できる。正確に言えば、引戸戸尻側の上下の角部を除けば気密状態にできる。
【００１３】
請求項２では、突条部を上枠と下枠の各方立側端部に直接又は他部材を介して間接に当接させるため、引戸戸尻側の上下角部をも気密にでき、引戸全周の気密性が向上する。
【００１４】
請求項３では、突条部の上下部の戸先に向かった側に弾力性部材を設けているため、各部材との当接状態を確実にできて気密性が向上する他、引戸を全閉にする際の当接音や衝撃を緩和できる。
【００１５】
請求項４は請求項１に対応し、請求項１の方立側縦方向気密部材に代って、引戸の戸尻側に戸尻側縦方向気密部材が設けられ、これが方立と当接することによって気密状態を維持できる。作用効果は請求項１の場合と同様である。
【００１６】
請求項５では、請求項４の戸尻側縦方向気密部材を突条部に設けるように規定し、この突条部が上枠と下枠の端部に当接することによって気密性を向上させることは、請求項２と同様である。
請求項６では、請求項３と同様な作用効果を奏する。
【００１７】
請求項７では、戸尻側縦方向気密部材が、方立のみならず、上枠と下枠の各方立側端部にも当接する、即ち、請求項６記載の弾力性部材をも兼ねるため、部品数を少なくしつつ気密性を向上できる。その他の作用効果は請求項６と同様である。
【発明を実施するための最良の形態】
【００１８】
以下、本発明を図面を用いて詳細に説明する。図１は本発明に係る引戸機構部の横断面による上面図であり、図２は図１の矢視線Ｂ−Ｂによる縦断面図であり、図３は引戸機構部の正面図であり、図４は図１の方立近くの拡大図、図５は図４の矢視線Ｅの方向から見た一部部品の斜視図、図６は図１における下枠の概略平面図である。部屋Ｒと外Ｏとを区切り、引戸１０を左右方向に移動させて出入口を開閉させる引戸機構部全体の枠組みを説明する。なお、図１に示す部屋Ｒと外Ｏとは、互いが逆になっていてもよい。
【００１９】
上下方向に延伸して左右方向の一端側に位置する戸先側縦枠３０と、他端側に位置する戸尻側縦枠３２と、これらの各縦枠の各上端部を連結する左右方向に延伸した上枠３６と、各下端部を連結し、左右方向に延伸した下枠（沓摺）３８とを有する。更には、左右縦枠の中間位置に、上下方向に延伸する方立３４がある。この方立と縦枠３０との間が出入口となる。図６は沓摺３８の概略輪郭を示すための図であり、他の部材、即ち、戸先側縦枠３０、戸尻側縦枠３２、方立３４も概略図であり、沓摺との相対位置関係を示したに過ぎない。
【００２０】
沓摺３８は、後述する方立３４の矩形状部が載置される方立側の高平面部３８Ａと、該高平面部に対して一段低くなった低平面部３８Ｂとを有している。この例では高平面部３８Ａ側が部屋Ｒ側である。沓摺と方立との位置関係に関してもう少し説明する。上記矩形状部の一辺を成す後述の戸先側表面３４Ａの位置において、沓摺はその高平面部３８Ａの幅が段差状に変化している。この位置の沓摺の端部３８Ｅを、沓摺（下枠）の方立側端部という。図示はしないが、上枠３６の同様な位置の端部を上枠の方立側端部という。また、一辺３４Ａに隣接した後述する他辺３４Ｂは、高平面部の幅の狭い領域の縁に位置している。
【００２１】
ここでの引戸１０は吊り方式であり、上枠３６に取り付けられたレール１２に沿って転動するよう、ローラ１４Ａと１４Ｂを引戸上端部に設けている。更に上枠には、空気圧縮式減衰器として、ピストン・シリンダ機構１６が取り付けられている。また、引戸上端部には先端に磁石１８Ｊを有する部材１８が取り付けられており、引戸の全閉状態では、該磁石が前記ピストンの外端部に磁力で連結されている。更に、引戸上端部には、コイルバネが内蔵され、ワイヤ２２を巻き取る巻取り装置２０が取り付けられている。一方、ワイヤ２２の外端部は上枠又はそれと一体の適宜部位に係止されている。
【００２２】
従って、取手１１に手を掛けて引戸１０の戸尻側を縦枠３２に近づく方向に移動させると、部材１８はピストン・シリンダ機構１６のピストンを引き出しながら引戸と共に移動する。この際、ワイヤ２２が張力を受けつつ巻取り装置２０から引出され、これに伴って内蔵コイルバネにバネ力が蓄積されて行く。引戸が途中まで移動すると、ピストンが引出され切って止まり、部材１８の先端部磁石はピストンから離れる。一方、引戸１０の上端戸尻部には係止部材２４が取り付けられており、上枠３６の縦枠３２近くにはこの係止部材を係止可能な板バネ部材２６が取り付けられている。
【００２３】
こうして、出入口が全開状態になるように引戸を移動させると、係止部材２４と板バネ部材２６との係合によって引戸が全閉状態の方向に移動することを規制でき、全開状態を維持できる。再び、出入口を全閉状態にすべく引戸の取手１１を軽く引いて前記係合を解除しさえすれば、巻取り装置２０に蓄積されたバネ力によってワイヤ２２を手繰り寄せる様にしつつ引戸を閉方向に自動的に移動させることができる。その移動の途中で、部材１８の先端磁石部がシリンダを押圧し始め、この段階から、ピストン・シリンダ機構の減衰作用によって引戸移動の減衰を行い、引戸の戸先側が縦枠３０に衝突することが防止され、静かに閉まる。
【００２４】
本発明においては、以上説明した引戸の移動機構は一例に過ぎず、電動式等の種々の既知機構が使用できる。
本発明に係る引戸１０は、化粧用の突出部品１０Ｋが、平面状である方立側（この例では部屋側であり、以下部屋側ともいう）の基本戸面１０Ｓに対して寸法δだけ突出するように装着されている。従って、この引戸を全開状態に移動可能に、方立３４の前端３４Ｅを、引戸の基本戸面１０Ｓに対して、前記突出寸法δよりも大きな隙間Δを有する位置に後退させている。
【００２５】
縦枠３０に装着された縦方向気密部材５０Ｃと、上枠３６に装着された左右方向気密部材５０Ａと、沓摺３８に装着された左右方向気密部材５０Ｂとは、全閉状態の引戸の方立側基本戸面に当接するように、後述の縦方向気密部材５０Ｄだけを除いて一つの平面上に設けられているといえる。これらの各気密部材は、ここではゴム材で形成しているが、例えば、シリコン材であってもよく、復元可能に弾力性を有していればよい。
【００２６】
上記方立３４の横断面形状は、金属板を矩形状に曲げて形成されているが、その金属板の矩形状部から出した一端側を使用して、縦方向に延伸した溝３４Ｍを形成し、この中に縦方向気密部材５０Ｄを配設している。従ってこの縦方向気密部材５０Ｄの位置は、既述の３本の気密部材が一つの平面上に位置しているのと異なり、その平面から方立側（以下、部屋側ともいう）に幾分離隔している。方立のこの矩形状部から出ている部位（図４で言って後述の辺３４Ｂよりも下側部）は、既述の低平面部３８Ｂに至るまで下方に延伸している。従って、縦方向気密部材５０Ｄも低平面部に至るように配設されている。
【００２７】
従って、方立３４の基本的な横断面である矩形状部の矩形の一辺を成す戸先側の表面３４Ａを延伸した部位（矩形状部から出た部位）は、沓摺３８の方立側端部３８Ｅと上枠３６の方立側端部に夫々当接しているか、或いは極僅かに離隔する程度に近接し、対面している。また、溝３４Ｍは方立３４の前記戸先側表面３４Ａの直ぐ傍に形成されている。即ち、方立を形成している金属板の板厚の２倍分、前記戸先側表面３４Ａから戸尻側に離れているだけに過ぎない。従って、この溝に配設された縦方向気密部材５０Ｄは、沓摺３８の方立側端部３８Ｅと上枠３６の方立側端部に夫々接近配置されている。また、溝３４Ｍは前記矩形の一辺３４Ａに隣接した他辺３４Ｂに隣接して溝底が形成されている。以上より、溝３４Ｍは方立３４の角部近くに設けられている。この位置の溝３４Ｍから、縦方向気密部材５０Ｄの横断面における先部が突出して引戸の側に向かっている。この例の場合は、既述の隙間Δは、人の親指の厚さよりも幅広であり、引戸の開閉の際に誤って手を挟まれることも防止できる構成となっている。
【００２８】
上記隙間寸法Δの存在のため、引戸１０には、該引戸の戸尻近くの基本戸面１０Ｓに対し部屋側に突出し、上下方向に延伸し、横断面形状が概ね矩形状の突条部１０Ｔを設けている。従って、引戸を全閉した状態では、この矩形状突条部１０Ｔの部屋側に向かった（縦方向気密部材５０Ｄに向かった）面１０ＴＡに対し、前記縦方向気密部材５０Ｄが当接する。これによって、全閉状態の引戸１０の周囲４辺を取り囲む４つの気密部材の内の１つである縦方向気密部材５０Ｄのみが部屋側にずれていたことによる気密保持の崩れを概ね防止できる。
【００２９】
但し、突条部１０Ｔの上下端部近くにおいては、一般に、該突条部の戸先側に向かった面１０ＴＢと、上枠３６の方立側端面と沓摺３８の方立側端面３８Ｅや左右方向気密部材５０Ｂの方立側端部５０ＢＥと左右方向気密部材５０Ａの方立側端部との間に隙間を有する。しかし、突条部１０Ｔの形状寸法を調節設計して、その面１０ＴＢが上記各方立側端面に当接するよう厳密に製作すれば隙間は無くなり、気密性が保持できる。この場合の突条部１０Ｔは金属板製であるが、引戸１０を全閉した際に、面１０ＴＢが丁度上記各戸尻側端面に当接するように製作すればよい。
【００３０】
しかし、現実問題として極僅かな隙間が残る場合がある。そこで、突条部の上下端部近くの面１０ＴＢには弾力性部材であるゴム体５２を装着している。金属板製の突条部１０Ｔへのゴム体の装着は、面１０ＴＢを有する板部に設けた孔１０ＴＨにゴム体裏面に突出させた係合突部を挿入して係合させている。このゴム体をも併せて突条部と考えることもできる。一方、沓摺３８の前記端面３８Ｅには、別部品である板部材３９が溶接等によって一体化されており、引戸の全閉時に、突条部のゴム体５２はその表面５２Ｓがこの板部材３９に当接し、これによって気密性を保持している。上枠３６も同様である。
【００３１】
更に厳密には、板部材３９は、左右方向気密部材５０Ｂの上記端面５０ＢＥ（左右方向気密部材５０Ａも同様）における室外Ｏ寄り領域（斜線部）は覆わないため、これら左右方向気密部材は、その斜線部に対応する端部までの部材自身の長さを適切に設定しておけば、該斜線部端面は直接にゴム体５２と当接でき、気密性がより向上する。また、左右方向気密部材の端面位置が、板部材３９の厚さ分だけ該板部材の外側面（戸尻方向の面）より引っ込んでいても、前記ゴム体５２が、その弾力性によって左右方向気密部材５０Ｂの端面５０ＢＥの斜線部に当接するように、変形可能な柔軟さと肉厚とを有してもよい。左右方向気密部材５０Ａに対しても同様である。
【００３２】
また、図４によく現われているが、方立３４の矩形本体部を形成した金属板部材の一端部で既述の溝３４Ｍを形成し、その残り端部３４Ｃを左右方向に延伸させている。更には、引戸１０の戸尻端面を覆っている金属板製のエッジ部材１０Ｂの方立側端部１０Ｃを左右方向に延伸するように折り曲げ、前記端部３４Ｃよりも方立の矩形本体部側に位置させている。これは、所謂、相じゃくり構造であり、火事が発生した場合に、その加熱温度によって互いの金属板製端部３４Ｃ，１０Ｃが近づくように変形するため、部屋Ｒと外Ｏとの間で、空気（酸素）の供給と炎の伝播を遮断できる。
【００３３】
以上は、引戸１０に方立側に突出した化粧用突出部品１０Ｋが設けられている例であったが、この部品１０Ｋが無い場合でも、引戸と方立との既述の隙間Δの存在は意義がある。即ち、手を戸尻側の基本戸面１０Ｓに当てた状態で引戸の開閉をしようとした場合に、誤ってそのまま手が方立と引戸との間に位置しても、隙間Δを親指の厚さよりも幅広に設定していれば指が挟まれる事故を防止でき、安全である。更には、後日のリフォームの際に、基本戸面に対して突出する化粧部品を装着でき、好都合である。この段落に記載した事項は、以下の例においても同様である。
【００３４】
次に、図７によって本発明の他の実施形態例を説明する。図７は図４と対比でき、ここで説明しない事項は先の実施形態例の場合と同様である。大きく異なるのは、図４の方立側に設けられた縦方向気密部材５０Ｄに代って、引戸１０の方立側基本戸面の戸尻側部位において、方立側に突出し、上下方向に延伸した金属板製の突条部１０Ｔ’を設け、該突条部に設けた上下方向の溝３４Ｍ’に縦方向気密部材５０Ｄ’を配設していることである。引戸の全閉時には、縦方向気密部材５０Ｄ’は、方立３４の矩形状本体部から延設されて、既述の相じゃくり構造の一側を形成している端部３４Ｃと同様に左右方向に延伸している端部３４Ｃ’に当接し、気密性を担保している。
【００３５】
更には、全閉時に、沓摺３８の端部３８Ｅに設けた板部材３９に対して、突条部１０Ｔ’の戸先側の面を直接に当接させる代りに、ゴム体５２を当接させていることも同様である。また、上枠３６についても同様である。
【００３６】
更に他の実施形態例としては、図７の突条部１０Ｔ’に設けている溝３４Ｍ’の位置を所定量戸先方向にずらせて、縦方向気密部材５０Ｄ’が、その方立側部によって既述の端部３４Ｃ’に当接するのみならず、その戸先側部によって上記板部材３９にも当接するように構成する。即ち、突条部１０Ｔ’で形成した図７における溝の左側壁と、その左方のゴム体５２を装着させる部位を、ゴム体と共に無くし、更に溝３４Ｍ’の位置を左方向に移動させるのである。縦方向気密部材は突条部の横断面Ｌ字状の溝内において、接着、その他の手段によって保持させておく。これにより、別部品のゴム体も不要になり、引戸の気密構造がシンプルになる他、コストが低下する。
【００３７】
以上において述べた突条部１０Ｔ，１０Ｔ’は、金属板を曲げて作った部品を装着させているが、引戸１０と一体物であってもよい。
沓摺３８の方立側端部３８Ｅは、本願では既述の様に、引戸の方立側基本戸面１０Ｓから隙間寸法Δだけ離隔しているが、従来の場合は、沓摺３８に装着されている左右方向気密部材５０Ｂが、該沓摺によって保持されないで外部に露出している部分の幅寸法だけ離隔していたに過ぎない。本願請求項２の発明では、この離隔寸法の差に相当する高平面部３８Ａの部位を低平面部３８Ｂにまで段差状に下げ、高平面部のこの段差状に下がった領域の端部、即ち、沓摺の方立側端部３８Ｅを、引戸側の突条部１０Ｔ，１０Ｔ’又は該突条部に取り付けたゴム体５２によって当接させて気密性を向上させている。
この端部３８Ｅの位置は、引戸１０が全閉された状態では、戸尻端面のエッジ部材１０Ｂに近く、また、該エッジ部材に隣接して設けた突条部１０Ｔ，１０Ｔ’の戸先側面に当接する位置、又は、該戸先側面に設けたゴム体５２が当接する位置である。概括的に言えば、方立側基本戸面１０Ｓの戸尻近くの位置である。
更には、方立３４との位置関係では、方立の矩形状部の一辺をなす戸先側表面３４Ａの位置でもある。
【産業上の利用可能性】
【００３８】
本発明は、引戸に利用できる。
【図面の簡単な説明】
【００３９】
【図１】図１は本発明に係る引戸機構部の横断面による上面図である。
【図２】図２は図１の矢視線Ｂ−Ｂによる縦断面図である。
【図３】図３は引戸機構部の正面図である。
【図４】図４は図１の方立近くの拡大図である。
【図５】図５は図４の矢視線Ｅの方向から見た一部部品の斜視図である。
【図６】図６は図１における下枠の概略平面図である。
【図７】図７は本発明の他の実施形態例の要部を示し、図４に対応する図である。
【符号の説明】
【００４０】
１０                          引戸
１０Ｋ                        化粧用突出部品
１０Ｓ                        基本戸面
１０Ｔ，１０Ｔ’              突条部
３０，３２                    縦枠
３４                          方立
３６                          上枠
３８                          下枠（沓摺）
３８Ｅ                        沓摺の方立側端部
５０Ａ，５０Ｂ                左右方向気密部材
５０Ｃ，５０Ｄ，５０Ｄ        縦方向気密部材
５２                          ゴム体
Ｏ                            外
Ｒ                            部屋
【図１】
2006207128.tif 000003
【図２】
2006207128.tif 000004
【図３】
2006207128.tif 000005
【図４】
2006207128.tif 000006
【図５】
2006207128.tif 000007
【図６】
2006207128.tif 000008
【図７】
2006207128.tif 000009